(57)【特許請求の範囲】
【請求項１】
重なり合う２枚のシートの間にシール部によって囲まれた内容物収納用の収納部を有する収納袋であって、
２枚のシートのうちの他方シートは一方シートの外縁よりも外側に張り出した張出部分を一体に有しており、該他方シートの張出部分の一方シート側の面には横長矩形状の取っ手シートが重なり合い、且つ、その両端部を固着されていて、該取っ手シートは一方シートと同じ側で露出している、
ことを特徴とする収納袋。
【請求項２】
取っ手シートの両端部の固着領域は、該取っ手シートの非固着の中央部分側に、取っ手シートの下縁と鋭角を成す傾斜縁を有している、
ことを特徴とする請求項１に記載の収納袋。
【請求項３】
取っ手シートの非固着の中央部分の表面には、該中央部分が取っ手であることを視認させるための案内表示部が設けられている、
ことを特徴とする請求項１または２に記載の収納袋。
【請求項４】
一方シートと取っ手シートは、単一シートを２つのシートに切り分けたものから成る、
ことを特徴とする請求項１〜３の何れか１項に記載の収納袋。
【発明の詳細な説明】
【技術分野】
【０００１】
本発明は、取っ手付きの収納袋に関する。
【背景技術】
【０００２】
腕力が乏しい者にとって持ち運びが困難な重量を有する収納済み袋（収納袋の収納部内に内容物を収納して封をしたものを指す）、例えば米等の穀物や培養土等の園芸土が収納された収納済み袋には、該収納済み袋の持ち運びが容易に行えるように取っ手（手で把持する部分を言う）が設けられているものがある。
【０００３】
図１（Ａ）は前記収納袋の一従来形態を示す（特許文献１を参照）。この収納袋１００は、矩形状を成す２枚のシート１０１及び１０２から構成されている。重なり合う２枚のシート１０１及び１０２（以下、一方シート２０１と他方シート２０２と言う）の上側と左側と右側にはそれぞれシール部（１０３ａ、１０３ｂ及び１０３ｃ）がヒートシールによって形成されていて、該シール部（１０３ａ、１０３ｂ及び１０３ｃ）によってコ字形状に囲まれた下縁開口の収納部１０４（内容物収納用の収納部１０４）が一方シート１０１と他方シート１０２との間に形成されている。また、上側シール部１０３ａの中央には、一方シート１０１及び他方シート１０２を貫通する略横長矩形状の取っ手孔１０５が設けられている。つまり、この収納袋１００にあっては、上側シール部１０３ａの取っ手孔１０５の上側部分が取っ手としての役目を果たす。
【０００４】
前記収納袋１００は、収納部１０４内に下縁開口を通じて内容物ＣＯを収納した後、一方シート１０１と他方シート１０２の下側にシール部（１０３ｄ）をヒートシールによって形成して封をすることによって、図１（Ｂ）に示す収納済み袋１００’となる。この収納済み袋１００’を持ち運ぶときには、図１（Ｂ）に示すように、陳列されている収納済み袋１００’の上側シール部１０３ａの取っ手孔１０５に指先を差し込み、該取っ手孔１０５の上側部分（取っ手相当部分）を把持して収納済み袋１００’を持ち上げる。
【０００５】
図２（Ｂ）は前記収納袋の他の従来形態を示す（特許文献２及び３を参照）。この収納袋２００は、矩形状を成す２枚のシート２０１及び２０２と、横長矩形状を成す１枚の取っ手シート２０７と、から構成されている。重なり合う２枚のシート２０１及び２０２（以下、一方シート２０１と他方シート２０２と言う）の上側と左側と右側にはそれぞれシール部（２０４ａ、２０４ｂ及び２０４ｃ）がヒートシールによって形成されていて、該シール部（２０４ａ、２０４ｂ及び２０４ｃ）によってコ字形状に囲まれた下縁開口の収納部２０５（内容物収納用の収納部２０５）が一方シート２０１と他方シート２０２との間に形成されている。また、上側シール部２０４ａの中央には、その上縁から収納部２０５の手前に至る非シール領域２０４ａ１が設けられ、該上側シール部２０４ａ内には、一方シート２０１と他方シート２０２との間に挟まれるようにして取っ手シート２０３が介装されている。取っ手シート２０３の左端部２０３ａ及び右端部２０３ｂは上側シール部２０４ａのシール領域内に位置していて一方シート２０１と他方シート２０２にヒートシールによって固着されているが、該取っ手シート２０３の中央部分は上側シール部２０４ａの非シール領域２０４ａ１内に位置しているため一方シート２０１と他方シート２０２には固着されていない。つまり、この収納袋２００にあっては、上側シール部２０４ａ内に存する取っ手シート２０３の中央部分が取っ手としての役目を果たす。
【０００６】
前記収納袋２００は、収納部２０５内に下縁開口を通じて内容物ＣＯを収納した後、一方シート２０１と他方シート２０２の下側部分にシール部（２０４ｄ）をヒートシールによって形成して封をすることによって、図２（Ｂ）に示す収納済み袋２００’となる。この収納済み袋２００’を持ち運ぶときには、図２（Ｂ）に示すように、先ず、陳列されている収納済み袋２００’の上側シール部２０４ａの非シール領域２０４ａ１内に指先を挿入して、一方シート２０１と他方シート２０２との間から取っ手シート２０３の中央部分（取っ手相当部分）を引っ張り出す。そして、引っ張り出した取っ手シート２０３の中央部分の下側に指先を差し込み、該中央部分（取っ手相当部分）を把持して収納済み袋２００’を持ち上げる。
【０００７】
ところで、図１（Ａ）に示した収納袋１００にあっては、上側シール部１０３ａの取っ手孔１０５の上側部分（取っ手相当部分）を把持して収納済み袋１００’を持ち上げるときや持ち上げ後に運ぶときに、該取っ手孔１０５の上側部分の下縁が指先の内側や手のひらに食い込んで痛みを感じるといった不具合がある。
【０００８】
また、図２（Ａ）に示した収納袋２００にあっては、取っ手シート２０３の中央部分（取っ手相当部分）が上側シール部２０４ａの非シール領域２０４ａ１内に位置しているため、説明書き等を十分に読んでからでないと引っ張り出すべき該中央部分を見つけることが難しいといった不具合がある。しかも、取っ手シート２０３の中央部分（取っ手相当部分）は非シール領域２０４ａ内において一方シート２０１と他方シート２０２との間に挟まれるようにして介装されているため、該中央部分を見つけても、手先が器用でない者にあっては該中央部分を一方シート２０１と他方シート２０２との間から引っ張り出すことは難しく、且つ、時間がかかるといった不具合がある。
【先行技術文献】
【特許文献】
【０００９】
【特許文献１】特開２００８−３０８２１４号公報
【特許文献２】特許第４１０１２７４号公報
【特許文献３】特許第４２５３７７４号公報
【発明の概要】
【発明が解決しようとする課題】
【００１０】
本発明の目的は、収納済み袋を持ち運ぶときに指先の内側や手のひらに痛みを感じることがなく、しかも、収納済み袋を持ち運ぶに際しての作業を簡単、且つ、的確に行える収納袋を提供することにある。
【課題を解決するための手段】
【００１１】
前記目的を達成するため、本発明は、重なり合う２枚のシートの間にシール部によって囲まれた内容物収納用の収納部を有する収納袋であって、２枚のシートのうちの他方シートは一方シートの外縁よりも外側に張り出した張出部分を一体に有しており、該他方シートの張出部分の一方シート側の面には横長矩形状の取っ手シートが重なり合い、且つ、その両端部を固着されていて、該取っ手シートは一方シートと同じ側で露出している、ことを特徴とする。
【００１２】
この収納袋によれば、取っ手シートが一方シートと同じ側で露出していることから、取っ手としての役目を果たす取っ手シートの中央部分（非固着部分）を簡単に見つけることができる。しかも、収納済み袋（収納袋の収納部内に内容物を収納して封をしたものを指す）を陳列した状態では、該収納済み袋の他方シートの張出部分と取っ手シートには皺や折り目が生じ、これによって取っ手シートの中央部分（非固着部分）と張出部分との間には部分的な隙間が生じるため、両者の間に指先を挿入する作業を簡単、且つ、的確に行うことができる。
【００１３】
また、取っ手シートが横長矩形状を成していることやその中央部分（非固着部分）が変形し易いことから、取っ手シートの中央部分を把持して収納済み袋を持ち上げるときや持ち上げ後に運ぶときに該取っ手シートの中央部分は指先の内側や手のひらに面接触するような状態となる。つまり、取っ手シートの中央部分を把持して収納済み袋を持ち上げるときや持ち上げ後に運ぶときに、該取っ手シートの中央部分が指先の内側や手のひらに食い込んで痛みを感じることはないし、該収納済み袋を安定した状態で持ち上げたり運ぶことができる。
【発明の効果】
【００１４】
本発明によれば、収納済み袋を持ち運ぶときに指先の内側や手のひらに痛みを感じることがなく、しかも、収納済み袋を持ち運ぶに際しての作業を簡単、且つ、確実に行える収納袋を提供することができる。
【００１５】
本発明の前記目的とそれ以外の目的と、構成特徴と、作用効果は、以下の説明と添付図面によって明らかとなる。
【図面の簡単な説明】
【００１６】
【図１】図１（Ａ）は一従来形態を示す収納袋の側面図、図１（Ｂ）は図１（Ａ）に示した収納袋に内容物を収納した収納済み袋を持ち運ぶ際の作業を説明するための図である。
【図２】図２（Ａ）は他の従来形態を示す収納袋の側面図、図２（Ｂ）は図２（Ａ）に示した収納袋に内容物を収納した収納済み袋を持ち運ぶ際の作業を説明するための図である。
【図３】図３は本発明を三方袋に適用した実施形態を示す収納袋の側面図である。
【図４】図４は図３に示した収納袋の分解斜視図である。
【図５】図５は図４に示した一方シートと取っ手シートの作成方法を説明するための図である。
【図６】図６（Ａ）は図３に示した取っ手シートの固着領域の形状詳細を示す図、図６（Ｂ）は図６（Ａ）に示した固着領域の形状変形例を示す図である。
【図７】図７は図３に示した収納袋に内容物を収納して封をしたもの（収納済み袋）の側面図である。
【図８】図８は図７に示した収納済み袋を横向きに陳列した状態を示す図である。
【図９】図９（Ａ）及び図９（Ｂ）は図７に示した収納済み袋を持ち運ぶ際の作業を説明するための図である。
【図１０】図１０は図３に示した取っ手シートの固着領域が有する傾斜縁の傾斜角度の適正範囲を確認するための試験結果を示す図である。
【図１１】図１１（Ａ）と図１１（Ｂ）は図３に示した収納袋の変形形態をそれぞれ示す収納袋の側面図である。
【図１２】図１２は本発明をスタンディング袋（スタンドパウチ）に適用した実施形態を示す収納袋の側面図である。
【発明を実施するための形態】
【００１７】
図３は本発明を三方袋に適用した実施形態を示す。この収納袋１０は、矩形状を成す２枚のシート１１及び１２（以下、一方シート１１と他方シート１２と言う）と、横長矩形状を成す取っ手シート１３と、から構成されている。
【００１８】
重なり合う一方シート１１と他方シート１２の上側と左側と右側にはそれぞれシール部（１４ａ、１４ｂ及び１４ｃ）がヒートシールによって形成されていて、該シール部（１４ａ、１４ｂ及び１４ｃ）によってコ字形状に囲まれた下縁開口の収納部１５（内容物収納用の収納部１５）が一方シート１１と他方シート１２との間に形成されている。
【００１９】
また、他方シート１２は一方シート１１の上縁よりも外側に張り出した横長矩形状の張出部分１２ａを一体に有しており、該他方シート１２の張出部分１２ａの一方シート１１側の面には横長矩形状の取っ手シート１３が重なり合い、且つ、その左端部１３ａ及び右端部１３ｂをヒートシールによって固着されていて、該取っ手シート１３は一方シート１１と同じ側で露出している（以下、左端部１３ａの固着領域を同一符号を利用して左側固着領域１３ａと言い、右端部１３ｂの固着領域を同一符号を利用して右側固着領域１３ｂと言う）。
【００２０】
さらに、取っ手シート１３の中央部分（非固着部分）の表面には、該中央部分が取っ手であることを視認させるために「ここをお持ち下さい」等の案内表示部１６が設けられている。つまり、この収納袋１０にあっては、取っ手シート１３の中央部分（非固着部分）が取っ手としての役目を果たす。
【００２１】
図４は前記収納袋１０を分解した様子を示す。一方シート１１、他方シート１２及び取っ手シート１３は、ヒートシール可能なフィルムを片面に有するラミネートフィルム、例えば２軸延伸のナイロンフィルム（厚さが約１５μｍ）と未延伸のポリエチレンフィルム（厚さが約５０μｍ）をドライラミネートした２層ラミネートフィルムから成る。勿論、ヒートシール可能なフィルムを片面に有するラミネートフィルムであれば、材質や層数を問わず各シート１１，１２及び１３として利用できる。
【００２２】
また、同図から分かるように、一方シート１１は所定の左右寸法Ｗ１１と上下寸法Ｌ１１を有し、他方シート１２はＷ１１と同じ左右寸法Ｗ１２とＬ１１よりも大きな上下寸法Ｌ１２を有し、取っ手シート１３はＷ１１と同じ左右寸法Ｗ１３と（Ｌ１２−Ｌ１１）に合致した上下寸法Ｌ１３を有する。一方シート１１はその左縁，右縁及び下縁が他方シート１２の左縁，右縁及び下縁と一致するように重なり合っているため、該他方シート１２の上縁は一方シート１１の上縁よりも（Ｌ１２−Ｌ１１）だけ外側に張り出している。つまり、この外側に張り出した部分が前記張出部分１２ａと成る。また、取っ手シート１３はその左縁，右縁及び上縁が他方シート１２の張出部分１２ａの左縁，右縁及び上縁と一致するように重なり合っているため、該取っ手シート１３は一方シート１１には重なっておらず、且つ、該張出部分１２ａから外側に張り出していない。
【００２３】
図５は前記一方シート１１及び取っ手シート１３の作成方法を示すもので、該一方シート１１及び取っ手シート１３は、単一シートＢＳを２つのシートに切り分けたものから成る。詳しくは、他方シート１２の上下寸法Ｌ１２と同じ幅寸法を有する単一シートＢＳを図中矢印方向に走行させながら、一方シート１１の上下寸法Ｌ１１と取っ手シート１３の上下寸法Ｌ１３との境界に当たる位置に切断刃ＣＵを当てて該単一シートＢＳを２つのシートに切り分ける。つまり、この切り分けられた２つのシートを一方シート１１の左右寸法Ｗ１１及び取っ手シート１３の左右寸法Ｗ１３を規定するライン（図中の２点鎖線を参照）で切断すれば、前記一方シート１１及び取っ手シート１３を得ることができる。
【００２４】
因みに、他方シート１２の上下寸法Ｌ１２と同じ幅寸法を有する別シートを用意し、該別シート上に２つのシートに切り分けられた単位シートＢＳを重ね合わせて所期のヒートシールを行い、この後に前記切断を行えば、該切断によっって前記収納袋１０に相当するものを得ることもできる。
【００２５】
図６（Ａ）は前記取っ手シート１３の左側固着領域１３ａと右側固着領域１３ｂの形状詳細を示す。尚、右側固着領域１３ｂは左側固着領域１３ａと線対称形であるため、その図示を省略してある。同図から分かるように、両固着領域１３ａ及び１３ｂは強度的に十分な面積を持つ５角形を成していて、取っ手シート１３の中央部分（非固着部分）側に「取っ手シート１３の下縁と鋭角（傾斜角度θ）を成す傾斜縁１３ａ１及び１３ｂ１」と「取っ手シート１３の上縁と直角を成す非傾斜縁１３ａ２及び１３ｂ２」を有している。
【００２６】
図６（Ｂ）は図６（Ａ）に示した左側固着領域１３ａと右側固着領域１３ｂの形状変形例を示す。尚、右側固着領域１３ｂは左側固着領域１３ａと線対称形であるため、その図示を省略してある。同図から分かるように、両固着領域１３ａ及び１３ｂは強度的に十分な面積を持つ４角形を成していて、取っ手シート１３の中央部分（非固着部分）側に「取っ手シート１３の下縁と鋭角（傾斜角度θ）を成す傾斜縁１３ａ１及び１３ｂ１」のみを有しており、図６（Ａ）に示したような「取っ手シート１３の上縁と直角を成す非傾斜縁１３ａ２及び１３ｂ２」は有していない。
【００２７】
図６（Ａ）に示した固着領域１３ａ及び１３ｂの形状と図６（Ｂ）に示した固着領域１３ａ及び１３ｂの形状の使い分けや、各々の傾斜角度θ等については後に詳述する。
【００２８】
前記収納袋１０は、収納部１５内に下縁開口を通じて内容物ＣＯ、例えば米等の穀物や培養土等の園芸土を収納した後、一方シート１１と他方シート１２の下側にシール部（１４ｄ）をヒートシールによって形成して封をすることによって、図７に示す収納済み袋１０’となる。
【００２９】
この収納済み袋１０’は、例えば、一方シート１１と取っ手シート１３が上を向くように上下方向に積み重ねられて陳列されるか（図８を参照）、或いは、一方シート１１と取っ手シート１３が前を向くように前後方向に並べて陳列される。収納部１５内に内容物ＣＯが収納されている影響等から、陳列された収納済み袋１０’の各シール部（１４ａ、１４ｂ、１４ｃ及び１４ｄ）に加えて他方シート１２の張出部分１２ａと取っ手シート１３にも皺や折り目が生じ、これによって取っ手シート１３の中央部分（非固着部分）と張出部分１２ａとの間には部分的な隙間ＣＬが生じる。
【００３０】
陳列されている収納済み袋１０’を持ち運ぶときには、図９（Ａ）に示すように、先ず、取っ手シート１３の中央部分（非固着部分）と張出部分１２ａとの間に指先を挿入する。取っ手シート１３が一方シート１１と同じ側で露出し、しかも、該取っ手シート１３の中央部分（非固着部分）の表面に該中央部分が取っ手であることを視認させるための案内表示部１６が設けられていることから、取っ手としての役目を果たす取っ手シート１３の中央部分（非固着部分）を簡単に見つけることができる。しかも、取っ手シート１３の中央部分（非固着部分）と張出部分１２ａとの間には先に述べたように部分的な隙間ＣＬが形成されていることから、両者の間に指先を挿入する作業は簡単、且つ、的確に行える。
【００３１】
そして、図９（Ｂ）に示すように、取っ手シート１３の中央部分（非固着部分）を把持し、収納済み袋１０’を持ち上げる。取っ手シート１３が横長矩形状を成していることやその中央部分（非固着部分）が変形し易いことから、取っ手シート１３の中央部分を把持して収納済み袋１０’を持ち上げるときや持ち上げ後に運ぶときに該取っ手シート１３の中央部分は指先の内側や手のひらに面接触するような状態となる。因みに、取っ手シート１３の中央部分を指先の内側や手のひらに面接触するような状態とするのに効果的な取っ手シート１３の上下寸法Ｌ１３（図４を参照）は４０〜８０ｍｍである。依って、取っ手シート１３の中央部分を把持して収納済み袋１０’を持ち上げるときや持ち上げ後に運ぶときに、該取っ手シート１３の中央部分が指先の内側や手のひらに食い込んで痛みを感じることはないし、該収納済み袋１０’を安定した状態で持ち上げたり運ぶことができる。
【００３２】
ここで、図６（Ａ）に示した固着領域１３ａ及び１３ｂの形状と図６（Ｂ）に示した固着領域１３ａ及び１３ｂの形状の使い分けや、各々の傾斜角度θ等について説明する。
【００３３】
図６（Ａ）に示した固着領域１３ａ及び１３ｂの形状は、取っ手シート１３の左右寸法Ｗ１３（図４を参照）が小さい場合に有利である。つまり、取っ手シート１３の左右寸法Ｗ１３が小さい場合には必然的に該取っ手シート１３の中央部分（非固着部分）の左右寸法も小さくなってしまい、図９（Ａ）を引用して説明した指先の挿入が行い難くなる。しかしながら、「取っ手シート１３の上縁と直角を成す非傾斜縁１３ａ２及び１３ｂ２」を固着領域１３ａ及び１３ｂに設けておけば、図６（Ｂ）に示した固着領域１３ａ及び１３ｂの形状に比べて該取っ手シート１３の中央部分（非固着部分）の左右寸法を拡大できるため、取っ手シート１３の中央部分（非固着部分）と張出部分１２ａとの間に指先を挿入する作業が行い易くなる。
【００３４】
また、図６（Ｂ）に示した固着領域１３ａ及び１３ｂの形状は、取っ手シート１３の左右寸法Ｗ１３（図４を参照）が大きい場合に有利である。つまり、取っ手シート１３の左右寸法Ｗ１３が大きい場合には「取っ手シート１３の上縁と直角を成す非傾斜縁１３ａ２及び１３ｂ２」を設けなくても、該取っ手シート１３の中央部分（非固着部分）の左右寸法を十分に確保できるため、取っ手シート１３の中央部分（非固着部分）と張出部分１２ａとの間に指先を挿入する作業が行い易くなる。
【００３５】
図１０は、前記取っ手シート１３の固着領域１３ａ及び１３ｂが有する傾斜縁１３ａ１及び１３ｂ１の傾斜角度θ（ｄｅｇｒｅｅ）の適正範囲を確認するための試験結果を示す。ここでの試験は、他方シート１２と同じラミネートフィルムから成る１００ｍｍ角の第１サンプルシートと取っ手シート１３と同じラミネートフィルムから成る５０ｍｍ幅の第２サンプルシートを用意し、第２サンプルシートを図６（Ｂ）に示した固着領域と同じ形状で第１サンプルシートに固着した試験サンプルを準備した。そして、準備した試験サンプルの第２サンプルシートを傾斜縁に沿って折り曲げて、該第２サンプルシートと第１サンプルシートとに直線的な引っ張り荷重を加えて、固着領域が破壊したときの最大荷重Ｎ（ｎｅｗｔｏｎ）の測定を、固着領域の面積を変えずに傾斜縁の傾斜角度θ（ｄｅｇｒｅｅ）のみを変えて行った。
【００３６】
試験結果を述べれば、傾斜角度θが９０度のとき（非傾斜のとき）には約２５Ｎで固着領域に破壊を生じ、傾斜角度θが８０度のときには約３０Ｎで固着領域に破壊を生じ、傾斜角度θが７０度のときには約１００Ｎで固着領域に破壊を生じ、傾斜角度θが６０度のときには約２００Ｎで固着領域に破壊を生じ、傾斜角度θが４５度のときには約２９０Ｎで固着領域に破壊を生じ、傾斜角度θが３５度のときには約２３０Ｎで固着領域に破壊を生じ、傾斜角度θが２５度のときには約１２０Ｎで固着領域に破壊を生じた。これら数値をグラフに表すと図１０のようになり、最大荷重Ｎ（ｎｅｗｔｏｎ）は傾斜角度θが９０度未満になると４５度に達するまで略比例的に増加し、４５度を超えると略比例的に減少することが分かる。
【００３７】
また、第２サンプルシートと第１サンプルシートとに直線的な引っ張り荷重を加えたときの様子を観察すると、固着領域の破壊は該固着領域の傾斜縁の端（図６（Ａ）及び図６（Ｂ）に示した固着領域１３ａ及び１３ｂの傾斜縁１３ａ１及び１３ｂ１の下端に相当）から生じる。また、傾斜角度θが鋭角の範囲にあるときには、固着領域の傾斜縁が引っ張り荷重を受け止めるような作用を生じる。
【００３８】
この試験結果や観察結果から考察するに、図６（Ａ）及び図６（Ｂ）に示した固着領域１３ａ及び１３ｂの傾斜縁１３ａ１及び１３ｂ１の傾斜角度θは鋭角範囲内、特に７０度〜２５度の範囲内であることが好ましいと言える。つまり、傾斜角度θを鋭角範囲内、好ましくは７０度〜２５度の範囲内とすれば、傾斜縁１３ａ１及び１３ｂ１によって引っ張り荷重に対する十分な耐久性を確保できるので、内容物ＣＯの重量が２ｋｇ以上の収納済み袋１０’であっても取っ手シート１３の中央部分を把持しての持ち運びを的確に行える。
【００３９】
このように、前記収納袋１０によれば、取っ手シート１３が一方シート１１と同じ側で露出し、しかも、該取っ手シート１３の中央部分（非固着部分）の表面に該中央部分が取っ手であることを視認させるための案内表示部１６が設けられていることから、取っ手としての役目を果たす取っ手シート１３の中央部分（非固着部分）を簡単に見つけることができる。
【００４０】
また、収納済み袋１０’（収納袋１０の収納部１５内に内容物ＣＯを収納して封をしたものを指す）を陳列した状態では、該収納済み袋１０’の他方シート１２の張出部分１２ａと取っ手シート１７には皺や折り目が生じ、これによって取っ手シート１３の中央部分（非固着部分）と張出部分１２ａとの間には部分的な隙間ＣＬが生じるため、両者の間に指先を挿入する作業を簡単、且つ、的確に行うことができる。
【００４１】
さらに、取っ手シート１３が横長矩形状を成していることやその中央部分（非固着部分）が変形し易いことから、取っ手シート１３の中央部分を把持して収納済み袋１０’を持ち上げるときや持ち上げ後に運ぶときに該取っ手シート１３の中央部分は指先の内側や手のひらに面接触するような状態となる。つまり、取っ手シート１３の中央部分を把持して収納済み袋１０’を持ち上げるときや持ち上げ後に運ぶときに、該取っ手シート１３の中央部分が指先の内側や手のひらに食い込んで痛みを感じることはないし、該収納済み袋１０’を安定した状態で持ち上げたり運ぶことができる。
【００４２】
さらに、取っ手シート１３の両端部の固着領域１３ａ及び１３ｂは、該取っ手シート１３の中央部分（非固着部分）側に「取っ手シート１３の下縁と鋭角（傾斜角度θ）を成す傾斜縁１３ａ１及び１３ｂ１」を有しており、該傾斜縁１３ａ１及び１３ｂ１によって引っ張り荷重に対する十分な耐久性を確保できるので、内容物ＣＯの重量が２ｋｇ以上の収納済み袋１０’であっても取っ手シート１３の中央部分を把持しての持ち運びを的確に行うことができる。
【００４３】
尚、前記収納袋１０は、下縁開口の収納部１５を有するが、内容物ＣＯを収納する前の形成するシール部の位置を変更することによって、下縁以外の位置に開口を有する収納部を形成しても良い。例えば、図１１（Ａ）に示すように、一方シート１１と他方シート１２の左側と右側と下側にそれぞれシール部（１４ｂ、１４ｃ及び１４ｄ）を形成することによって、上縁に開口を有する収納部１５を形成しても良いし、図１１（Ｂ）に示すように、一方シート１１と他方シート１２の上側と左側と下側にそれぞれシール部（１４ａ、１４ｂ及び１４ｄ）を形成することによって、右縁に開口を有する収納部１５を形成しても良い。このような収納袋であっても開口を通じて収納部内に内容物ＣＯを収納することができるし、内容物ＣＯを収納した後に開口位置にシール部を形成して封をすれば前記同様の収納済み袋を得ることができる。
【００４４】
また、前記収納袋１０を用いて作成された収納済み袋１０’は収納部１５の周囲をシール部によって矩形枠状に囲まれるが、外気との通気が必要な内容物ＣＯ、例えば米等の穀物を収納部１５内に収納する場合には、複数の貫通孔を有する不織布等から成る通気性シートをシール部の少なくとも一部に介装して該複数の貫通孔を通じて一方シート１１と他方シート１２とのヒートシールを行うようにしても良い。このようにすれば、シール部に介装された通気性シートを通じて、内容物ＣＯを収納した収納部１５内と外気との通気を行うことができる。
【００４５】
以上、実施形態として本発明を三方袋に適用したものを説明したが、本発明は三方袋以外の各種収納袋に適用可能であり、該適用によって前記と同様の作用及び効果を得ることができる。その一例を図１２を引用して説明する。
【００４６】
図１２は本発明をスタンディング袋（スタンドパウチ）に適用した実施形態を示すもので、該収納袋２０は、矩形状を成す２枚のシート２１及び２２（以下、一方シート２１と他方シート２２と言う）と、横長矩形状を成す取っ手シート２３と、矩形状を成す底シート２４と、から構成されている。
【００４７】
重なり合う一方シート２１と他方シート２２の左側と右側と下側にはそれぞれシール部（２５ｂ、２５ｃ及び２５ｄ）がヒートシールによって形成されていて、該シール部（２５ｂ、２５ｃ及び２５ｄ）によってコ字形状に囲まれた上縁開口の収納部２６（内容物収納用の収納部２６）が一方シート１１と他方シート１２との間に形成されている。
【００４８】
底シート２４は２つ折りされたものが一方シート１１と他方シート１２との間の下側に配置されており、該底シート２４の左側は互いがヒートシールによって固着されると共に一方シート１１と他方シート１２に固着され（符号２５ｂ１を参照）、該底シート２４の右側は互いがヒートシールによって固着されると共に一方シート１１と他方シート１２に固着されている（符号２５ｃ１を参照）。前記下側シール部２５ｄは、一方シート２１と底シート２４とが固着された部分と、他方シート２２と底シート２４とが固着された部分とによって構成されている。つまり、一方シート２１と他方シート２２の下側部分は底シート２４を介して広げることが可能であり、該広がりを利用してのスタンディングが可能となっている。
【００４９】
また、他方シート２２は一方シート２１の上縁よりも外側に張り出した横長矩形状の張出部分２２ａを一体に有しており、該他方シート２２の張出部分２２ａの一方シート１１側の面には横長矩形状の取っ手シート２３が重なり合い、且つ、その左端部２３ａ及び右端部２３ｂをヒートシールによって固着されていて、該取っ手シート２３は一方シート２１と同じ側で露出している。
【００５０】
さらに、取っ手シート２３の中央部分（非固着部分）の表面には、該中央部分が取っ手であることを視認させるために「ここをお持ち下さい」等の案内表示部２７が設けられている。つまり、この収納袋２０にあっては、取っ手シート２３の中央部分（非固着部分）が取っ手としての役目を果たす。
【００５１】
因みに、一方シート２１、他方シート２２及び取っ手シート２３がラミネートフィルムから成ることやこれらの寸法は図３に示した収納袋と同じであり、取っ手シート２３の固着形状も図３に示した収納袋と同じである。また、底シート２４も一方シート２１、他方シート２２及び取っ手シート２３と同様のラミネートフィルムから成り、一方シート１１の左右寸法Ｗ１１と同じ左右寸法を有している。
【００５２】
前記収納袋２０は、収納部２６内に上縁開口を通じて内容物、例えば米等の穀物や培養土等の園芸土を収納した後、一方シート２１と他方シート２２の上側にシール部（２５ａ、図示省略）をヒートシールによって形成して封をすることによって収納済み袋となる。
【００５３】
この収納済み袋は、一方シート２１と他方シート２２の下側部分は底シート２４を介して広がることによってスタンディングが可能であるため、例えば、一方シート２１と取っ手シート２３が前を向くように自立させた状態で陳列される。収納部２６内に内容物が収納されている影響等から、陳列された収納済み袋の他方シート２２の張出部分２２ａと取っ手シート２３にも皺や折り目が生じ、これによって取っ手シート２３の中央部分（非固着部分）と張出部分２２ａとの間には部分的な隙間が生じる。
【００５４】
陳列されている収納済み袋を持ち運ぶときには、先ず、取っ手シート２３の中央部分（非固着部分）と張出部分２２ａとの間に指先を挿入する。取っ手シート２３が一方シート２１と同じ側で露出し、しかも、該取っ手シート２３の中央部分（非固着部分）の表面に該中央部分が取っ手であることを視認させるための案内表示部２７が設けられていることから、取っ手としての役目を果たす取っ手シート２３の中央部分（非固着部分）を簡単に見つけることができる。しかも、取っ手シート２３の中央部分（非固着部分）と張出部分２２ａとの間には先に述べたように部分的な隙間が形成されていることから、両者の間に指先を挿入する作業は簡単、且つ、的確に行える。
【００５５】
そして、取っ手シート２３の中央部分（非固着部分）を把持し、収納済み袋を持ち上げる。取っ手シート２３が横長矩形状を成していることやその中央部分（非固着部分）が変形し易いことから、取っ手シート２３の中央部分を把持して収納済み袋を持ち上げるときや持ち上げ後に運ぶときに該取っ手シート２３の中央部分は指先の内側や手のひらに面接触するような状態となる。依って、取っ手シート２３の中央部分を把持して収納済み袋を持ち上げるときや持ち上げ後に運ぶときに、該取っ手シート２３の中央部分が指先の内側や手のひらに食い込んで痛みを感じることはないし、該収納済み袋を安定した状態で持ち上げたり運ぶことができる。
【符号の説明】
【００５６】
１０，１０-1，１０-2…収納袋、１１…一方シート、１２…他方シート、１２ａ…張出部分、１３…取っ手シート、１３ａ，１３ｂ…固着領域、１３ａ１，１３ｂ１…傾斜縁、１４ａ，１４ｂ，１４ｃ，１４ｄ…シール部、１５…収納部、１６…案内表示部、ＣＯ…内容物、１０’…収納済み袋、２０…収納袋、２１…一方シート、２２…他方シート、２２ａ…張出部分、２３…取っ手シート、２３ａ，２３ｂ…固着領域、２４…底シート、２５ｂ，２５ｂ，２５ｃ…シール部、２６…収納部、２７…案内表示部。
【図１】
0005436313.tif 000002
【図２】
0005436313.tif 000003
【図３】
0005436313.tif 000004
【図４】
0005436313.tif 000005
【図５】
0005436313.tif 000006
【図６】
0005436313.tif 000007
【図７】
0005436313.tif 000008
【図８】
0005436313.tif 000009
【図９】
0005436313.tif 000010
【図１０】
0005436313.tif 000011
【図１１】
0005436313.tif 000012
【図１２】
0005436313.tif 000013